(57)【要約】【課題】  サムターン回しを確実に防止することができるサムターン回し防止具を提供する。【解決手段】  ドア２の表面から突出され、ドア２のカギを開け閉めするサムターン３をドア２の外側から不正器具２０を使用して不正操作するサムターンの不正回しを防止する防止具であって、ドア２のサムターン３の外周に、加熱された不正器具２０の熱に耐え得る耐熱性材料により形成された防止具本体４を配設する。防止具本体４は、円筒体状に形成されていることが好ましく、特に好ましくは、内表面がドア２の表面側の一端部から他端部にかけて漸次拡径されている円筒体状に形成することがよい。【選択図】    図１
2005083185.tif 000002
【特許請求の範囲】
【請求項１】
ドアの表面から突出され、ドアのカギを開け閉めするサムターンをドアの外側から不正器具を使用して不正操作するサムターンの不正回しを防止する防止具であって、
前記ドアのサムターンの外周に、加熱された前記不正器具の熱に耐え得る耐熱性材料により形成された防止具本体を配設したことを特徴とするサムターン回し防止具。
【請求項２】
前記防止具本体の一端面に、該防止具本体を前記ドアの表面に固着させる固着部を設けたことを特徴とする請求項１に記載のサムターン回し防止具。
【請求項３】
前記防止具本体が、円筒体状に形成されていることを特徴とする請求項１又は２に記載のサムターン回し防止具。
【請求項４】
前記防止具本体は、内表面が前記ドアの表面側の一端部から他端部にかけて漸次拡径されている円筒体状に形成されていることを特徴とする請求項１乃至３のいずれか１項に記載のサムターン回し防止具。
【発明の詳細な説明】
【技術分野】
【０００１】  本発明は、不正にドアの解錠を行うサムターン回しを確実に防止するサムターン回し防止具に関するものである。
【背景技術】
【０００２】  ドア、例えば玄関ドアは、通常、ドアの外側では、図５に示すように、例えばキー（図示せず）を鍵穴１３に差し込み、この差し込んだキーを回す（回動させる）ことによって、ドア２に内蔵されているカギ（内カギ）を閉めたり（施錠したり）、内カギを開けたり（解錠したり）できるようになっている。また、内側（家の中から）では、ドア２に取り付けられた内鍵（サムターン）の平板状の摘み部を回す（回動させる）ことによって、内カギの開け閉めを行えるようになっている。【０００３】  すなわち、鍵穴１３に差し込んだキーの回動動作とサムターンの回動動作とは一体となって連動するようになっているため、キーがなくても、ドア２の内側からではサムターン（摘み部）を回せば内カギの開け閉めを行えるが、キーがないと、ドア２の外側からでは内カギの開け閉めを行えないようになっている。【０００４】  最近、ドア２の外側からサムターン（摘み部）を不正器具を使用して不正に回してドアを開けるサムターン回しによる被害が増えている。【０００５】  例えば、キーを差し込む鍵穴の近傍のドア２に、図６に示すように、ドリル等を用いてドア２の外側表面から内側表面までを貫通する貫通孔２１を開ける。この貫通孔２１に、図７に示すように、例えばほぼＬ字状に曲った金属製の棒等の不正器具２０を挿入する。挿入した不正器具２０の先端部又は先端部近傍等を図８に示すように、平板状の摘み部１５に接触させたり引っ掛けたりして、その不正器具２０の押圧力によって摘み部１５を回すことによって、不正にドア２が開けられてしまう。【０００６】  また、ドア２の隙間が大きいと、その隙間から針金などの不正器具をドア２の内側に挿入して、サムターン３（摘み部１５）を不正に回してドア２を開けることも行われている。その場合、ドリル等によってドア２に貫通孔２１を開けなくてもすむので、痕跡が残り難く、被害に気づくのが遅くなることもある。なお、のぞき孔やポストの挿入孔から針金などの不正器具を挿入することもあり得る。【０００７】  このサムターン回しを防止する手段として、ドア２の内側のサムターン３の周りに、サムターン３の外側を覆うように円筒体状のサムターン回し防止具をサムターン３に近接させて設けたり、サムターン３の板状の摘み部１５に円形のキャップを一体回動可能に被せると共にサムターン３の周りのドア２にサムターン３より背の高いリング状の囲い壁を設けたりすることが行われている（例えば、特許文献１参照。）。【０００８】  このように、例えば、ドア２の内側のサムターン３の周りに、サムターン３の外側を覆うように円筒体状のサムターン回し防止具をサムターン３に近接させて設けることにより、鍵穴１３の近傍のドア２に開けた貫通孔２１に不正器具２０を挿入しても、この不正器具２０とサムターン３（摘み部１５）との間にはサムターン回し防止具があるために、不正器具２０がサムターン２（摘み部１５）に接触することが防止され、不正にドア２が開けられてしまうことがなくなる。【０００９】
【特許文献１】        特開２００３−１８４３５７号公報
【発明の開示】
【発明が解決しようとする課題】
【００１０】  ところで、円筒体状のサムターン回し防止具や、円形のキャップ、リング状の囲い壁は、プラスチックにより成形されているため熱に弱い。このため、不正器具を加熱して、この加熱された状態の不正器具を、ドアに開けた貫通孔に挿入してサムターン回し防止具に接触させる。すると、その不正器具の熱によってサムターン回し防止具が溶けることがあり得る。このように、サムターン回し防止具が溶けたりすると、不正器具のサムターン（摘み部）への接触を防止する機能がなくなることも考えられ、その場合、結果的には不正器具によってサムターン（摘み部）が回されて、不正にドアが開けられてしまい、サムターン回しを防止することができなくなることにもなる。【００１１】  そこで、本発明は、このような実情に鑑みなされたものであり、その目的は、サムターン回しを確実に防止することができるサムターン回し防止具を提供することにある。
【課題を解決するための手段】
【００１２】  前記目的を達成するために、本発明のサムターン回し防止具は、ドアの表面から突出され、ドアのカギを開け閉めするサムターンをドアの外側がら不正器具を使用して不正操作するサムターンの不正回しを防止する防止具であって、前記ドアのサムターンの外周に、加熱された前記不正器具の熱に耐え得る耐熱性材料により形成された防止具本体を配設したことを特徴とする。【００１３】  前記防止具本体の一端面に、該防止具本体を前記ドアの表面に固着させる固着部を設けることが好ましい。
また、前記防止具本体が、円筒体状に形成されていることが好ましい。
また、前記防止具本体は、内表面が前記ドアの表面側の一端部から他端部にかけて漸次拡径されている円筒体状に形成されていることが好ましい。
【発明の効果】
【００１４】  サムターン回しを確実に防止することができるサムターン回し防止具が得られる。
【発明を実施するための最良の形態】
【００１５】  以下、本発明のサムターン回し防止具を添付図面に基づいて詳述する。
図１乃至図４には本発明のサムターン回し防止具が示されている図である。図１乃至図４において、１はサムターン凹し防止具を示し、このサムターン回し防止具１は、玄関ドア２等のドアのカギを開け閉めするサムターン３の不正回しを防止するためのもので、ドア２のサムターン３の外周に設けられるものである。【００１６】  ドア、例えば玄関ドア２は、外表面と内表面とにドア２の開け閉めを行うためのハンドル１１、１２がそれぞれ設けらている。ドア２には、カギ（ピンロック等の内カギ）（図示せず）が内蔵されていると共に、例えば部屋や建物等の外側に位置される表面（外側表面）のハンドル１１の近くには、内カギを操作するキーを差し込む鍵穴１３が設けられており、その鍵穴１３に差し込んだキー（図示せす）を回す（回動させる）ことによって、内カギを閉めたり（施錠したり）、開けたり（解錠したり）できるようになっている。つまり、キーがないと、ドア２の外側からでは内カギの開け閉めを行えないようになっている。【００１７】  また、ドア２の内側に位置される表面（内側表面）のハンドル１２の近くには、鍵穴１３に差し込んだキーの回動動作と一体となって連動するサムターン３が表面から突出して設けられており、サムターン３の平板状の摘み部１５を回す（回動させる）ことによって、内カギの開け閉めを行えるようになっている。つまり、キーがなくても、ドアの内側からではサムターン３の摘み部１５を回せば内カギの開け閉めを行えるようになっている。【００１８】  本発明のサムターン回し防止具１は、ドア２のサムターン３の外周に耐熱性材料により形成された防止具本体４を配設したことに特徴がある。
防止具本体４は、サムターン３の外周に設けられて不正器具２０によってドア２の外側からサムターン３を不正操作することを防止することができるならばどのように形成してもよく、例えば、サムターン３の外周を取り囲むように筒体状に形成されている。
防止具本体４の筒体状の形状としては、円筒体状、矩形筒体状、三角筒体状、多角筒体状等特に限定されないが、好ましくは、円筒体状である。【００１９】  防止具本体４の内径は、防止具本体４内にサムターン３が位置される範囲であって、サムターン３の摘み部１５を指で容易に摘んで回す（回動させる）ことができる範囲から任意に選択される。
防止具本体４の軸方向の長さは、ドリル等によりドア２に開けた貫通孔２１等から挿入した不正器具２０によってサムターン３の摘み部１５が不正に操作できないような寸法、例えば、その不正器具２０が接触しない寸法に形成されている。具体的には例えば、サムターン３がドア２の表面から突出している突出長以上の寸法に形成することが好ましい。【００２０】  防止具本体４の内周面は、ドア側の端部（一端部）の径が他端部の径より小径に形成されることが好ましく、さらに、一端部から他端部にかけて漸次拡径されていることがより好ましい。
防止具本体４の厚さ（肉厚）は、材質によって決められるが、例えば、０．３〜１．５ｍｍであることが好ましい。また、防止具本体４の厚さは、その軸方向に沿ってほぼ同じ寸法に形成しても、異なった寸法に形成してもどちらでもよい。【００２１】  防止具本体４の一端面には、防止具本体４をドア２の表面に固着するための固着部５が設けられている。
固着部５は、防止具本体４の一端部の厚さとほぼ同じであってもよいが、防止具本体４の厚さより厚い寸法に形成されていることが好ましい。例えば、固着部５は、防止具本体４の径方向に沿ってフランジ状に延出させて形成され、この場合、延出方向は、径方向外方であってもよいが、好ましくは径方向内方であることがよい。つまり、固着部５は、防止具本体４の一端部をその径方向内方に延出させて形成することが好ましい。【００２２】  固着部５の表面（外表面）がドア２の表面に固着される。この固着方法は、防止具本体４をドア２の表面に固着させることができるならばどのような手段でもよく、例えば、接着剤を固着部５の表面に塗布してもよいし、両面粘着テープを用いてもよい。また、溶接などの接合等によりドア２の表面に固着するようにしてもよい。【００２３】  防止具本体４は、加熱された不正器具２０の熱に耐え得る耐熱性材料により形成されている。
耐熱性材料としては、加熱された不正器具２０の熱に耐え得るものであればどのようなものでもよく、例えば、鉄や鋼、ニッケルやアルミニウム等で代表させる各種の金属、ガラスないしセラミック、耐熱樹脂等が挙げられる。なお、ドア２の内表面の材質が耐熱性材料で形成されている場合には、防止具本体４をドア２に一体的に設けるようにしてもよい。【００２４】  次に、この防止具本体４を両面粘着テープを用いてドア２の表面に固着する場合について説明する。
防止具本体４の固着部５には、外側となる表面に剥離紙を有する両面粘着テープが予め接着されている。この両面粘着テープの剥離紙を剥がし、図２に示すように、防止具本体４のリング状の固着部をドア２のサムターン３の周囲近傍に接着する。これにより、サムターン３（摘み部１５）は、図１に示すように、防止具本体４によりその側部が覆い隠されるので、たとえ、不正器具２０を用いてもドア２の外側からサムターン３を不正に操作することが防止される。【００２５】  すなわち、例えば、ドア２のサムターン３の近くにドリル等を用いて外側表面から内側表面にかけて貫通する貫通孔２１を設け、この貫通孔２１にほぼＬ字状や湾曲させた不正器具２０を挿入しても、防止具本体４によって不正器具２０の先端やその近傍等がサムターン３（摘み部１５）に接触することがない。また、不正器具２０が加熱されていても、防止具本体４が耐熱性材料によって形成されているため、その不正器具の熱によって防止具本体４が溶けることがないので、不正器具２０の先端やその近傍等がサムターン３（摘み部１５）に接触することがない。よって、不正器具２０がサムターン３（摘み部１５）に接触したり引っ掛かったりして不正にドア２の外側からサムターン３を操作することが確実に防止されることになる。【００２６】  ドア２の内側からサムターン３を操作するには、防止具本体４が、図１乃至図４に示すように、円筒体状に形成されているので、防止具本体４の他端部の開口部から指を防止具本体４内に入れて、サムターン３の摘み部１５をつかんで、摘み部１５を回す（回動させる）ことによって、内カギの開け閉めを行える。このとき、防止具本体４の内周面が、一端部から他端部にかけて漸次拡径されていることにより、サムターン３の摘み部１５をつかみやすいと共に、摘み部１５を回し（回動させ）やすいので、サムターン３（摘み部１５）の操作を容易に行うことができる。【００２７】  したがって、本発明のサムターン回し防止具１は、簡単な構造で玄関ドア２等のドアのカギを開け閉めするサムターン３の不正回しを確実に防止することができる。
【図面の簡単な説明】
【００２８】
【図１】本発明のサムターン回し防止具の一例を示す斜視図である。
【図２】本発明のサムターン回し防止具をドアに固着する状態を示す斜視図である。
【図３】本発明のサムターン回し防止具の一例を示す正面図である。
【図４】本発明のサムターン回し防止具の一例を示す断面図である。
【図５】ドアの外側表面を示す斜視図である。
【図６】貫通孔を開けたドアの内側表面を示す斜視図である。
【図７】不正器具を用いて不正操作をするときのドアの外側表面を示す斜視図である。
【図８】不正器具を用いて不正操作をするときのドアの内側表面を示す斜視図である。
【符号の説明】
【００２９】１    サムターン回し防止具
２    玄関ドア（ドア）
３    サムターン
４    防止具本体
５    固着部
２０  不正器具
【図１】
2005083185.tif 000003
【図２】
2005083185.tif 000004
【図３】
2005083185.tif 000005
【図４】
2005083185.tif 000006
【図５】
2005083185.tif 000007
【図６】
2005083185.tif 000008
【図７】
2005083185.tif 000009
【図８】
2005083185.tif 000010